(57)【要約】【課題】携帯電話機の電話帳データに記録された個別情報を地図を表示した画面上で認識できる地図情報表示装置を提供すること。【解決手段】ナビゲーション装置（地図情報表示装置）４は、携帯電話機１の記憶手段２に記憶されたデータを、携帯電話機１の通信手段３を介して入力する電話帳データ入力手段５と、個別情報とその地点座標とをたとえば電話番号と位置情報との対応データを基に設定する位置情報設定手段７と、個別情報を地点座標に対応させて出力する個別情報出力手段１０と、地点座標に対応した個別情報を地図上に表示する表示手段１２とを備える。【選択図】  図１
2005003431.tif 000002
【特許請求の範囲】
【請求項１】
通信によって取得される個別情報を含む電話帳データを入力する電話帳データ入力手段と、
前記電話帳データ入力手段により入力された前記電話帳データを記憶する電話帳データ記憶手段と、
前記電話帳データの個別情報に対応する地点座標を求める位置情報設定手段と、
地図情報を記憶した地図情報記憶手段と、
前記位置情報設定手段で求めた地点座標に対応した個別情報の内容を前記地図情報記憶手段から得た地図上に表示する個別情報表示手段とを備える地図情報表示装置。
【請求項２】
前記電話帳データの個別情報は、電話番号および前記電話番号に対応する地点座標の情報を含んでいることを特徴とする請求項１に記載の地図情報表示装置。
【請求項３】
前記位置情報設定手段は、電話番号と地点座標とを対応させた電話番号データを使って前記地点座標を検索する電話番号位置検索手段を備えたことを特徴とする請求項１に記載の地図情報表示装置。
【請求項４】
前記位置情報設定手段は、住所と地点座標とを対応させた住所データを使って前記住所データに含まれる住所から対応する前記地点座標を検索する住所位置検索手段を備えたことを特徴とする請求項１に記載の地図情報表示装置。
【請求項５】
前記電話帳データの個別情報に含まれ、前記個別情報が所属するグループを示すグループ情報を基に前記個別情報がまとめられたグループのうち表示を希望するグループを指定するグループ指定手段を備えたことを特徴とする請求項１に記載の地図情報表示装置。
【請求項６】
前記個別情報表示手段が個別情報の存在する地点座標の地図上の場所に表示した記号のうちのいずれかの記号が選択されたときには前記選択された記号が対応する個別情報の内容を表示または再生することを特徴とする請求項１から請求項５までのいずれかに記載の地図情報表示装置。
【請求項７】
前記個別情報表示手段が表示した個別情報の内容のうちのいずれかを選択したときには、前記選択された内容を再生することを特徴とする請求項１から請求項５までのいずれかに記載の地図情報表示装置。
【請求項８】
前記電話帳データの個別情報が画像データを含み、前記選択により表示または再生される内容が前記画像データであることを特徴とする請求項６または請求項７に記載の地図情報表示装置。
【請求項９】
前記電話帳データの個別情報が音声情報を含み、前記選択により再生される内容が前記音声情報であることを特徴とする請求項６から請求項８までのいずれかに記載の地図情報表示装置。
【請求項１０】
前記記号または前記内容を選択したときには、新たな表示枠内に前記記号または前記内容に対応する個別情報の内容を表示することを特徴とする請求項６から請求項９までのいずれかに記載の地図情報表示装置。
【請求項１１】
前記電話帳データの前記個別情報が呼び出し音声情報を含み、使用者が呼び出し音声を発声したときに該当する呼び出し音声に対応した個別情報を選択する音声認識選択手段を備えたことを特徴とする請求項１に記載の地図情報表示装置。
【請求項１２】
前記電話帳データの個別情報がスケジュール情報を含み、前記個別情報表示手段が前記スケジュール情報に登録された日時に応じて前記スケジュール情報を表示可能であることを特徴とする請求項１に記載の地図情報表示装置。
【請求項１３】
前記電話帳データの個別情報がスケジュール情報を含み、前記スケジュール情報を基に指定された到着時間に目的地へ着く経路を探索する経路探索手段を備えたことを特徴とする請求項１に記載の地図情報表示装置。
【発明の詳細な説明】
【０００１】
【発明の属する技術分野】
本発明は、携帯電話機から転送された情報を地図上に表示することが可能な地図情報表示装置に関する。
【０００２】
【従来の技術】
従来の地図情報表示装置は、たとえばナビゲーション装置として、地図上の位置情報を記憶する記憶手段を備えた携帯電話機から位置情報を入力する通信手段と、経路探索のための目的地や経由地の設定を入力した位置情報で行う制御手段とを備え、経路の目的地や経由地を携帯電話機の記憶した位置情報から設定できるようにしている（例えば、特許文献１参照。）。
【０００３】
【特許文献１】
特開２００２−２２４７３号公報（第３図）
【０００４】
【発明が解決しようとする課題】
しかし、上記従来のナビゲーション装置では、目的地や経由地といった位置情報のみしかナビゲーション装置に入力できなかったために、携帯電話機の電話帳データの内の上記位置情報のみしかナビゲーション画面上で表示ができず、電話帳データの内のその他の情報を利用することができないという問題があった。
本発明はこのような問題を解決するためになされたもので、表示された地図上の地点に関係する携帯電話機の電話帳データに記録された個別情報を画面上に表示できる地図情報表示装置を提供する。
【０００５】
【課題を解決するための手段】
本発明の地図情報表示装置は、通信によって取得される個別情報を含む電話帳データを入力する電話帳データ入力手段と、電話帳データ入力手段により入力された電話帳データを記憶する電話帳データ記憶手段と、電話帳データの個別情報に対応する地点座標を求める位置情報設定手段と、地図情報を記憶した地図情報記憶手段と、位置情報設定手段で求めた地点座標に対応して個別情報の内容を地図情報記憶手段から得た地図上に表示する個別情報表示手段とを備えた構成を有している。
【０００６】
この構成により、携帯電話機の個別情報を含む電話帳データを入力して、電話帳データの個別情報に対応する地点座標を求め、地図上に電話帳データの個別情報を表示することが可能となる。
【０００７】
また、本発明の地図情報表示装置は、電話帳データの個別情報が、電話番号および電話番号に対応する地点座標の情報を含んでいる構成を有している。
【０００８】
この構成により、電話帳データで記憶された地点座標を使って、この地点に関連する個別情報を地図上に表示することが可能となる。
【０００９】
また、本発明の地図情報表示装置は、位置情報設定手段で電話番号と地点座標とを対応させた電話番号データを使って、地点座標を検索する電話番号位置検索手段を備えた構成を有している。
【００１０】
この構成により、電話帳データの個別情報に地点座標が記憶されていなくても、電話番号データを使って電話番号から地点座標を求めることができ、地図上に個別情報を表示することが可能となる。
【００１１】
また、本発明の地図情報表示装置は、位置情報設定手段で住所と地点座標とを対応させた住所データを使って、住所データに含まれる住所から対応する地点座標を検索する住所位置検索手段を備えた構成を有している。
【００１２】
この構成により、電話帳データの個別情報に地点座標が記憶されていなくても、住所データを使って住所から地点座標を求めることができ、地図上に個別情報を表示することが可能となる。
【００１３】
また、本発明の地図情報表示装置は、電話帳データの個別情報に含まれ、個別情報が所属するグループを示すグループ情報を基に個別情報がまとめられたグループのうち表示を希望するグループを指定するグループ指定手段を備えた構成を有している。
【００１４】
この構成により、電話帳データの個別情報の中で表示したいグループのみを表示することが可能となる。
【００１５】
また、本発明の地図情報表示装置は、個別情報表示手段が個別情報の存在する地点座標の地図上の場所に表示した記号のうちのいずれかの記号が選択されたときには選択された記号が対応する個別情報の内容を表示または再生するようにした構成を有している。
【００１６】
この構成により、個別情報の内容が多いときでもコンパクトな表示が可能な記号で表示されるので、地図上の個別情報の表示位置が判別し易くなり、さらに記号を選択することで個別情報の詳細な内容も表示または再生することが可能となる。
【００１７】
また、本発明の地図情報表示装置は、個別情報表示手段が表示した個別情報の内容のうちのいずれかを選択したときには、選択された内容を再生するようにした構成を有している。
【００１８】
この構成により、個別情報に記憶された内容の中から選択した内容を再生することが可能となり、所望の内容を見ることが可能となる。
【００１９】
また、本発明の地図情報表示装置は、電話帳データの個別情報が画像データを含み、選択により表示または再生される内容が前記画像データであるようにした構成を有している。
【００２０】
この構成により、個別情報に記憶された画像データを地図上に表示することが可能となる。
【００２１】
また、本発明の地図情報表示装置は、電話帳データの個別情報が音声情報を含み、選択により再生される内容が音声情報であるようにした構成を有している。
【００２２】
この構成により、個別情報に記憶された音声を地図上の個別情報やその内容を選択したときに再生することが可能となる。
【００２３】
また、本発明の地図情報表示装置は、記号または内容を選択したときには、新たな表示枠内に記号または内容に対応する個別情報の内容を表示するようにした構成を有している。
【００２４】
この構成により、個別情報の内容が多い場合でも、必要に応じた内容を新たに開くことが可能な表示枠内に表示できるので、見易く表示することが可能となる。
【００２５】
また、本発明の地図情報表示装置は、電話帳データの個別情報が呼び出し音声情報を含み、使用者が呼び出し音声を発声したときに該当する呼び出し音声に対応した個別情報を選択する音声情報選択手段を備えた構成を有している。
【００２６】
この構成により、使用者が手による操作を行うことなく所望の個別情報を選択することが可能となる。
【００２７】
また、本発明の地図情報表示装置は、電話帳データの個別情報がスケジュール情報を含み、個別情報表示手段がスケジュール情報に登録された日時に応じてスケジュール情報を表示可能とした構成を有している。
【００２８】
この構成により、個別情報に記憶されたスケジュールを予め登録した日時に応じて表示することが可能となる。
【００２９】
また、本発明の地図情報表示装置は、電話帳データの個別情報がスケジュール情報を含み、スケジュール情報を基に指定された到着時間に目的地へ着く経路を探索する経路探索手段を備えた構成を有している。
【００３０】
この構成により、個別情報に記憶されたスケジュールの到着時間に到着できるように案内する経路を自動的に表示することが可能となる。
【００３１】
【発明の実施の形態】
以下、本発明の実施の形態について、図面を用いて説明する。
図１に示すように、本発明の実施の形態のナビゲーション装置（地図情報表示装置）４は、携帯電話機１の記憶手段２に記憶された電話帳データを、携帯電話機１の通信手段３を介して入力する電話帳データ入力手段５と、入力した電話帳データを記憶する電話帳データ記憶手段６と、電話帳データの個別情報に対応する地点座標を求める位置情報設定手段７と、個別情報を求めた地点座標に対応させて出力する個別情報出力手段１０と、地図情報を記憶した地図情報記憶手段１１と、地点座標に対応した個別情報を地図上に表示する表示手段１２とを備えている。
【００３２】
さらにナビゲーション装置４は、個別情報を表示するグループを指定するグループ指定手段１３と、表示されている個別情報のうちさらに詳細な情報の表示を希望する個別情報を選択する個別情報選択手段１４と、音声認識により個別情報を選択する音声認識選択手段１５と、表示されている個別情報の内容の中からさらに詳細な内容を見るときにその内容を選択する情報内容選択手段１６と、選択された情報内容を再生する情報内容再生手段１７と、現在位置を検出する現在位置検出手段１８と、選択された個別情報の地点座標を目的地として現在位置（または出発地）と目的地との間の経路を求める経路探索手段１９とを備えている。なお、上記個別情報出力手段１０と上記表示手段１２とは、本発明の個別情報表示手段を構成する。
【００３３】
以下に上記各手段をより詳細に説明する。
携帯電話機１は、記憶手段２に電話帳データとして各個人や会社などの名称やそれに対応する電話番号、電子メールアドレスや住所、写真画像、動画画像、ロゴマークなどの個別情報を個別に記憶している。
携帯電話機１の通信手段３は、この記憶手段２に記憶した電話帳データをナビゲーション装置４の電話帳データ入力手段５へ送信可能としてある。この通信は相互に接続可能な通信ケーブルを用いる有線通信、あるいは携帯電話回線網、ＢｌｕｅＴｏｏｔｈなどの無線通信、あるいはＳＤカードやマルチメディアカードなどの可搬性に優れた小型の半導体メモリを介して行う。また例えばコード化したデータを携帯電話機１の画面で表示して、ナビゲーション装置４の電話帳データ入力手段５に読み取らせてもよい。
【００３４】
ナビゲーション装置４の電話帳データ入力手段５は、携帯電話機１が記憶している電話帳データを、通信手段３を介して入力する。この入力は例えば通信手段３に対応する有線や無線、または携帯電話機１の画面を読み込むスキャナー等で行う。
【００３５】
電話帳データ記憶手段６は、電話帳データ入力手段５で入力した電話帳データを記憶する。記憶する媒体は半導体メモリやハードディスクに記憶する。
【００３６】
位置情報設定手段７は、電話帳データ記憶手段６で記憶した電話帳データについて、各個別情報につき地図上に表示するための地点座標を求めて設定する。この地点座標は、緯度経度や地図上の位置をコード化したものである。例えば、個別情報内にすでにその個別情報に対応した地点座標が記録されている場合は、そのままこの地点座標を使用する。個別情報に対応した地点座標が登録されていない場合は、電話番号位置検索手段８または住所位置検索手段９を使って地点座標を求め、該当する個別情報内に記録する。
【００３７】
電話番号位置検索手段８は、電話番号とその地点座標を対応させた検索用の電話番号データを使って、位置情報設定手段７で求めている電話帳データの個別情報に登録された電話番号に対応する地点座標を求める。この電話番号データは、ナビゲーション装置４の地図情報記憶手段１１に記憶されたデータか、またはインターネットで取得したデータを用いる。
【００３８】
住所位置検索手段９は、住所とその地点座標を対応させた検索用の住所データを使って、位置情報設定手段７で求めている電話帳データの個別情報に登録された住所に対応する地点座標を求める。この住所データはナビゲーション装置４の地図情報記憶手段１１に記憶されたデータか、またはインターネットで取得したデータを用いる。
【００３９】
個別情報出力手段１０は、電話帳データ記憶手段６で記憶された電話帳データの個別情報を表示手段１２に表示させる。このとき、グループ指定手段１３、個別情報選択手段１４、音声認識選択手段１５の少なくともいずれかで設定された条件に合った個別情報を電話帳データ記憶手段６から選出して、個別情報に記憶されている地点座標に対応して個別情報の内容、または個別情報が存在することを表す記号を出力する。また、個別情報の内容が情報内容選択手段１６で選択されたときには、その選択された内容を情報内容再生手段１７で再生し、その結果を出力する。
【００４０】
地図情報記憶手段１１は、地図情報として道路網や地名、建物の形などのデータを記憶しており、記憶する媒体としては、ＤＶＤやＣＤといった光ディスクやハードディスクや半導体メモリに記憶している。また、施設名称とその地点座標およびそのジャンルが記録される施設データや、電話番号と地点座標が対応付けられている電話番号データ、住所と地点座標が対応付けられている住所データなどが記憶されている。なお地図情報記憶手段１１は、外部のネットワーク経由でナビゲーション装置４に地図情報を提供する形態であってもよい。
【００４１】
表示手段１２は、ＣＲＴディスプレイや液晶ディスプレイなどで構成され、個別情報出力手段１０が出力する個別情報の地点座標や内容と、地図情報記憶手段１１から個別情報の地点座標に対応した地図情報を読み出して表示する。また必要に応じて現在位置検出手段１８で検出した現在位置や、経路探索手段１９で探索した経路を表示する。
【００４２】
グループ指定手段１３は、キーボタン、タッチセンサ、キーボード、リモートコントロールなどを使って使用者が表示したい個別情報のグループを使用者に入力指定させる。これは、例えば電話帳データの各個別情報内に複数のグループ種別情報を記憶しておき、このグループ情報の一つを選択指定させる。個別情報出力手段１０は、指定されたグループのグループ種別情報をもつ個別情報のみを選出して表示手段１２で表示させる。
【００４３】
個別情報選択手段１４は、使用者が表示手段１２で表示されている個別情報の中の一つを指定して選択して個別情報の内容を表示させるためのものである。例えば、個別情報出力手段１０は、個別情報の地点座標の位置に個別情報が存在する旨の記号を出力して、表示手段１２では地図上にこの記号を表示している。そして、個別情報選択手段１４は、例えば表示している記号の内の一つを点滅させて選択中であることを表すとともに、キーボタン、タッチセンサ、キーボード、リモートコントロールによって選択する記号を次の個別情報の記号へ変更できるようにする。または表示手段１２上にカーソルを表示させて選択したい記号にカーソルを合わせるようにする。個別情報出力手段１０は、個別情報選択手段１４で選択された個別情報について、この個別情報の内容を表示手段１２の画面上に表示させる。この表示は地点座標に対応した画面上の場所に表示させてもよいし、別途表示用の枠を作って、この中に表示させるようにしてもよい。
【００４４】
音声認識選択手段１５は、電話帳データ記憶手段６に記憶された電話帳データの個別情報の内容（例えば、名称、電話番号、住所、事前に登録した使用者の声など）と、使用者がマイクなどを使って入力した音声とを比較して同じ内容の個別情報を選択する。個別情報出力手段１０は、選択された個別情報の地点座標、または個別情報の内容を表示手段１２で表示させる。
【００４５】
情報内容選択手段１６は、表示手段１２で表示されている個別情報の内容の中から、さらに詳細に情報を知りたいものを使用者が選択するためのものである。これは、例えば表示している個別情報の内容の一つを点滅させて選択中であることを表すとともに、キーボタン、タッチセンサ、キーボード、リモートコントロールによって、選択する内容を変更できるようにする。または表示手段１２上にカーソルを表示させて選択したい個別情報の内容にカーソルを合わせるようにする。
【００４６】
情報内容再生手段１７は、情報内容選択手段１６で選択された個別情報の内容の一つを再生する。例えば、個別情報の内容が写真データであった場合、写真を表示手段１２に表示できるように個別情報出力手段１０に出力する。また個別情報の内容が動画であった場合、動画を再生して表示手段１２に表示できるように個別情報出力手段１０に出力する。また個別情報の内容が音声であった場合、音声を再生して出力できるようにする。
【００４７】
現在位置検出手段１８は、現在位置を検出するものであり、例えばＧＰＳ衛星信号から算出した位置や、車速センサ、ジャイロセンサを使って算出した自立位置、および携帯電話機の位置情報サービスなどを使うか、またはこれらの組み合わせを使って現在位置を求める。
【００４８】
経路探索手段１９は、地図情報記憶手段１１に記憶された地図情報データや、インターネットなどで取得した交通情報などを使って、現在位置検索手段１８で検出した現在位置（または出発地）から目的地までの経路を探索し、表示手段１２に求めた経路を表示させる。この目的地は、例えば個別情報選択手段１４で選択した個別情報の地点座標の場所とする。また例えば、電話帳データの個別情報にスケジュールを記憶しておき、このスケジュールがある個別情報の地点座標を目的地として、現在位置からそれぞれの個別情報の地点座標への最短旅行時間となる経路を、交通情報を含めて求め、目的地への到着予想時刻がスケジュールに記憶した時刻の一定時間前（例えば３０分前）となったときに、表示手段１２にこの個別情報の地点座標を目的地とした経路を表示させるようにしてもよい。
【００４９】
上記電話帳データのデータ構造を図２を用いて説明する。
図２（ａ）は携帯電話機１の記憶手段２に格納される電話帳データのデータ構造例である。図２（ａ）において設定項目Ｄは電話帳データに登録される要素項目を示しており、格納番号、電話番号、名称、電子メールアドレス、電話帳表示における周知のグループ分け等で使用されるグループ属性、緯度経度やナビゲーション地図上の地点座標を特定可能な地点座標、および住所、ニックネーム、生年月日、ロゴマーク等が要素項目として定義されている。個別情報Ｄ１、個別情報Ｄ２、個別情報Ｄ３、・・・は設定項目Ｄで構成される個別情報であり、複数の個別情報が、電話帳の格納メモリサイズを上限として記録される。
例えば図２（ａ）の個別情報Ｄ１を参照すると、格納番号は「０００」、電話番号は「０３３１２３４５６７」、名称は「○下△郎」、電子メールアドレスは「ｍｓｈｉｔａ＠ＸＸ．ＸＸ」、グループ属性は「会社」、地点座標は「１８２０ＸＸＸＸ」が設定されている。個別情報には前記以外の要素項目を追加して構成しても良い。
【００５０】
また図２（ｂ）はナビゲーション装置４の電話帳データ記憶手段６に格納される電話帳データのデータ構造例である。図２（ａ）で示された電話帳データより読み出された個別情報うち、個別情報出力手段１０で対象とする個別情報を登録する表示対象テーブルのデータ構造を示す。図２（ｂ）では、格納番号「０００」、「００１」、「００２」、「０５１」、「０５２」、「０５３」の個別情報が対象として格納された例を示している。ここで図２（ｂ）の表示対象テーブルは図２（ａ）の電話帳データテーブルをそのまま使用しても、また全ての内容をコピーして使用してもよい。
【００５１】
次に図３を用いて本発明の実施の形態のナビゲーション装置４の動作を説明する。図３は携帯電話機１からナビゲーション装置４への電話帳データの転送動作を示したフローチャートである。
まず携帯電話機１の記憶手段２に格納されている電話帳データの中から、ナビゲーション装置４に転送する個別情報を電話帳データ入力手段５によって順次ナビゲーション装置４に入力する（Ｓ３０１）。電話帳データ記憶手段６は、入力した電話帳データの個別情報をナビゲーション装置４の電話帳データ記憶手段６の表示対象テーブルに記憶する（Ｓ３０２）。電話帳データ入力手段５は、全ての個別情報の入力が完了したか否かを判定する（Ｓ３０３）。まだ未入力の個別情報がある場合は、ステップＳ３０１に戻って次の個別情報を入力する。全ての個別情報を入力した場合は、転送処理を終了する。以上の動作によって、携帯電話機１に記憶されている電話帳データをナビゲーション装置４の電話帳データ記憶手段６に記憶させる。
【００５２】
図４は、電話帳データ記憶手段６に記憶させた電話帳データの個別情報に、地点座標を記憶させる動作の例を示したフローチャートである。
まず位置情報設定手段７が電話帳データの個別情報に地点座標が記憶されているかどうかを判定する（Ｓ４０１）。地点座標が記憶されていれば、その地点座標をそのまま電話帳データ記憶手段６の個別情報に記憶させて（Ｓ４０２）処理を終える。
【００５３】
これに対し地点座標が記憶されていなければ、電話帳データの個別情報に電話番号が記憶されているか否かを位置情報設定手段７にて判定する（Ｓ４０３）。電話番号が記憶されていれば、地図情報記憶手段１１に記憶されているか、またはインターネットで取得した電話番号と地点座標とを対応させたデータである電話番号データを使って、記憶されている電話番号に対応する地点座標が存在するかを調査する（Ｓ４０４）。個別情報に記憶された電話番号に対応する地点座標が電話番号データ中にあれば、この地点座標を電話帳データ記憶手段６の個別情報に記憶させ（Ｓ４０５）、処理を終了する。
【００５４】
個別情報に電話番号が記憶されていないか、または電話番号データに目的の電話番号や地点座標が存在しない場合は、位置情報設定手段７が個別情報に住所が記憶されているか否かを判定する（Ｓ４０６）。住所が記憶されている場合は、地図情報記憶手段１１に記憶されているか、またはインターネットで取得した住所と地点座標とを対応させたデータである住所データを使って、記憶されている住所に対応する地点座標が存在するかを調査する（Ｓ４０７）。住所データに個別情報に記憶された住所号に対応する地点座標があれば、この地点座標を電話帳データ記憶手段６の個別情報に記憶させ（Ｓ４０８）、処理を終了する。
一方、個別情報に住所が記憶されていないか、住所データに住所に対応した地点座標がない場合は、個別情報の地点座標に地点座標なし（例えば０）を記憶して（Ｓ４０９）、処理を終了する。
【００５５】
次に図５を参照して電話帳データ記憶手段６に記憶した電話帳データの個別情報を表示する動作を説明する。
まず表示手段１２が地図情報記憶手段１１の地図情報を使って指定座標を含む地図を表示する（Ｓ５０１）。指定座標は、使用者が指定した場所や現在位置検出手段１８が検出した現在位置などである。そして、個別情報出力手段１０は、表示するグループの設定情報を電話帳データ記憶手段６から読み込む（Ｓ５０２）。この表示するグループは、グループ指定手段１３で電話帳データのグループ属性から使用者が表示するように設定した情報であり、グループ属性のうちの１つまたは複数を選択したものか、または全てのグループ属性を表示するように選択した設定情報である。
【００５６】
次に電話帳データ記憶手段６に記憶された表示対象テーブルの全ての個別情報を調査したかを判定する（Ｓ５０３）。全ての個別情報を調査し終えていれば、処理を終了する。未調査の個別情報があれば、未調査の個別情報から一つを読み出す（Ｓ５０４）。そして、読み出した個別情報の地点座標が表示手段１２で表示している地図上の範囲にあるか否かを判定する（Ｓ５０５）。地図上の範囲外であれば、ステップＳ５０３に戻る。地図上の範囲内であれば、個別情報のグループ属性がステップＳ５０２で設定した表示対象のグループ属性であるか否かを判定する（Ｓ５０６）。
【００５７】
個別情報のグループ属性が表示対象のグループ属性ではない場合、ステップＳ５０３に戻る。これに対し、個別情報のグループ属性が表示対象のグループ属性である場合は、個別情報の内容を個別情報に記憶された地点座標に対応して地図上に表示した（Ｓ５０７）後、ステップＳ５０３に戻る。
上記ステップＳ５０１からステップＳ５０７は、例えば自車走行による現在位置移動の際や、使用者が地図表示範囲を変更させた際において、地図の表示内容更新動作に同期して実行される。
【００５８】
上記動作により電話帳データ記憶手段６の電話帳データから取得した個別情報を地図上への表示した例を、図６（ａ）、（ｂ）に示す。
図６（ａ）は、ナビゲーション装置４の表示手段１２の画面６０１に、自車の現在位置を示す自車マーク６０２や、駅、交番、ガソリンスタンドあるいはコンビニエンスストア等の施設を示すロゴマーク６０３や、区名や町名等地名を示す文字列６０４や、道路６０５や、目的地までの誘導経路６０６などを表示した例を示している。また電話帳データから取得した個別情報の地点座標の位置に、名称６０７である「○下△郎」、「○山△雄」を表示している。
図６（ｂ）は、名称６０７の代わりに「○下△郎」の個別情報に記憶された画像Ａ６０８と、「○山△雄」の個別情報に記憶された画像Ｂ６０９を表示した例を示している。
【００５９】
また図７は、上記動作によりグループを指定する場合およびグループ属性を選択した場合の表示画面の例を示す。
図７（ａ）は、表示するグループを指定するときの入力画面の例である。電話帳データに記憶されているグループ属性の一覧と、そのグループ属性を表示するか否かを決定する表示欄を表示し、表示したいグループ属性には表示欄に”○”表示しないグループ属性には”×”を使用者に選択入力させる。
【００６０】
図７（ｂ）は、図７（ａ）で”友人”のグループ属性のみを表示するように設定した場合の表示例である。この場合、個別情報のグループ属性が”友人”である「○橋△美」と「○木△彦」の文字列のみが表示される。
また図７（ｃ）はグループ属性が”得意先”のみを表示する設定を行った場合の表示例である。この場合、個別情報のグループ属性が”得意先”である「○山商事」と「○島物産」の文字列のみが表示される。
【００６１】
図８は、表示手段１２の地図画面上に表示された個別情報の一つを選択して、その個別情報に記憶された内容の詳細を見る動作の流れを示したフローチャートである。
まず地図上に個別情報が表示されている状態において使用者が個別情報選択手段１４を使って所望の個別情報を選択中かどうかの判定を個別情報出力手段１０が実行する（Ｓ８０１）。この選択は、選択している場所を示すカーソルを画面に表示して、地図とその地図上の個別情報をスクロールさせていく方法や、地図上に表示されている個別情報をカーソルが順次示していく方法などがある。使用者が個別情報を選択中でなければ、選択場所を示すカーソルが表示されているときはカーソルを画面から消去して（Ｓ８０２）、処理の最初のステップＳ８０１に戻る。
【００６２】
使用者が所望の個別情報を選択中であれば、選択している場所を示すカーソルを表示手段１２の画面上に表示する（Ｓ８０３）。個別情報出力手段１０は、カーソルの位置が地図上に表示されている電話帳データの個別情報が表示されている位置に含まれているかを判定する（Ｓ８０４）。含まれていなければ処理の最初に戻る。含まれていれば、カーソルの位置が含まれている個別情報の内容を、画面上に新たな枠を表示してその中に表示する（Ｓ８０５）。
【００６３】
ここで、情報内容選択手段１６を使って使用者が表示された個別情報の内容を選択したかを判定する（Ｓ８０６）。この選択方法は、個別情報の内容を表示している枠内に新たなカーソルを表示して、このカーソルが表示された内容を選択および特定できるように表示する。個別情報の内容を選択しない場合は、処理の最初に戻る。個別情報の内容を選択した場合は、情報内容再生手段１７で選択された個別情報の内容に対応した再生ソフトウェアを準備し（Ｓ８０７）、個別情報の内容を再生して表示手段１２で表示し（Ｓ８０８）、再生後処理の最初のステップＳ８０１に戻る。
【００６４】
なお図８において、個別情報選択手段１４で画面上にカーソルを表示して電話帳データの個別情報を選択していたが、音声認識選択手段１５を使って、音声によって個別情報を選択するようにしてもよい。この場合、たとえば携帯電話機１の記憶手段２で電話帳の個別情報に対応して音声で個別情報を呼び出すための録音データを、電話帳データ入力手段５から入力して電話帳データとともに電話帳データ記憶手段６に記憶させておき、使用者が携帯電話機１で登録した音声と同じ音声を音声認識選択手段１５に入力することによって呼び出したい個別情報を選択する。また電話帳データに名称の振り仮名を記録しておき、この振り仮名と一致する音声を入力したときに、該当する個別情報を選択するようにしてもよい。
【００６５】
図９は、図８で説明した個別情報の一つを選択して記憶された内容に対応して再生ソフトウェアを動作させるときの表示手段１２での表示例である。
図９（ａ）は使用者が個別情報選択手段１４を使って、個別情報を選択している途中の表示画面である。地図上に複数の個別情報６０７、９０２と個別情報を選択するためのカーソル９０１とが表示されている。
【００６６】
図９（ｂ）は、カーソル９０１で上記個別情報の内の一つを選択した状態での表示画面である。個別情報９０２の表示範囲内にカーソル９０１を重ねると、個別情報９０２の内容を表示する新たな枠９０３が表示され、この枠９０３内に個別情報９０２の内容として、電話番号９０４、電子メールアドレス９０５、音声データ９０６が表示されている。また、これら個別情報の内容を選択するためのカーソル９０７も表示される。このカーソル９０７は情報内容選択手段１６を使って使用者が操作、選択を行う。
【００６７】
図９（ｃ）は、情報内容選択手段１６で個別情報の内容の内、音声データ９０６を選択したときの表示画面である。選択された音声データ９０６は、情報内容再生手段１７で音声を再生するためのソフトウェアが準備され、音声として再生、出力される。この再生中は、例えば音声を再生している旨を示すアイコン９０８を画面上に表示しておく。
【００６８】
図９（ｄ）は、情報内容選択手段１６で個別情報の内容の内、電話番号９０４を選択したときの表示例である。電話番号９０４が選択された場合は、情報内容再生手段１７では、電話をかけるためのソフトウェアを準備し、電話番号９０４の番号に電話をかける。
また、電子メールアドレスが選択された場合は、メールを作成し送信するソフトウェアを起動させてもよい。また写真や動画のデータがある場合は、これらを表示するためのソフトウェアによって再生を行うなど、電話帳データの個別情報に記録された内容に従って動作を行うようにしておく。
【００６９】
以上のように、本発明の実施の形態のナビゲーション装置４は、電話帳データ入力手段５を設け、携帯電話機１より電話帳データを入力することにより、電話帳データに記録されていた個別情報の内容を、地図上で認識可能とする事ができる。
さらに、電話帳データに記憶された個別情報の内容から地図上に表示する地点座標を求める位置情報設定手段７を設けているので、電話帳データの個別情報に地点座標が記憶されていないときでも、地図上に電話帳データに記憶された個別情報を表示することができる。
さらに、個別情報に記憶されたグループ属性を指定するグループ指定手段１３を設けているので、所望のグループに属する個別情報のみを地図上に表示することができる。
さらに、地図上に表示された個別情報の一つを選択する個別情報選択手段１４を設けているので、個別情報の内容が多い場合でも新しい枠を表示してその中に個別情報の各種要素をまとめて表示でき、さらに各種要素のそれぞれについて詳細な内容を参照することが可能となる利便性を提供することができる。
さらに、個別情報を選択するために音声認識選択手段１５を設けているので、手操作を行わなくても個別情報を選択することができる。
さらに、表示された個別情報の内容を選択する情報内容選択手段１６と、選択した個別情報の内容に対応したソフトウェアを実行する情報内容再生手段１７とを設けているので、表示されている個別情報の内容を選択するのみでその内容にあったソフトウェアを利用でき、ナビゲーション装置４の利便性を大きく向上することができる。
さらに、個別情報の地点座標を目的地とした経路探索手段１９を設けているので、個別情報のスケジュールに従った経路を表示することができる。
【００７０】
なお、本発明の地図情報表示装置では、上記実施の形態に代え、以下のような修正や変更を加えてもよい。すなわち、電話帳データ入力手段５で電話帳データを入力するときに、携帯電話機１の全ての電話帳データを入力していたが、個別情報の一部範囲を指定してその部分のみ入力するようにしてもよい。
なお表示手段１２の表示例として個別情報の名称や画像を表示した例を示したが、個別情報に登録される電話番号や住所情報、電子メールアドレス、アイコンマーク、留守番電話等の音声情報データが存在する事を示すアイコンマークおよびその他の要素情報を表示してもよい。
また個別情報のグループ属性は、携帯電話機１側で周知の電話帳振り分け機能で設定されるグループ属性の設定値をそのまま利用しても良いし、ナビゲーション装置４側で新規に設定したものであっても良い。
【００７１】
【発明の効果】
以上説明したように、本発明は携帯電話機の電話帳データに記録された個別情報を入力して地図上に表示することにより、電話帳データの個別情報を画面上で認識できるというすぐれた効果を有する地図情報表示装置を提供することができる。
【図面の簡単な説明】
【図１】本発明の実施の形態のナビゲーション装置の構成を示すブロック図
【図２】電話帳データのデータ構造を示す図
【図３】電話帳データの転送動作を示すフローチャート
【図４】個別情報に地点座標を記憶させる動作を示すフローチャート
【図５】電話帳データの個別情報を表示する動作を示すフローチャート
【図６】個別情報の地図上への表示例を示す図
【図７】グループ指定時の表示例を示す図
【図８】個別情報を選択して記憶された内容の詳細を見る動作を示すフローチャート
【図９】個別情報の内容に対応してソフトウェアを動作したときの表示例を示す図
【符号の説明】
１  携帯電話機
２  記憶手段
３  通信手段
４  ナビゲーション装置
５  電話帳データ入力手段
６  電話帳データ記憶手段
７  位置情報設定手段
８  電話番号位置検索手段
９  住所位置検索手段
１０  個別情報出力手段
１１  地図情報記憶手段
１２  表示手段
１３  グループ指定手段
１４  個別情報選択手段
１５  音声認識選択手段
１６  情報内容選択手段
１７  情報内容再生手段
１８  現在位置検出手段
１９  経路探索手段
【図１】
2005003431.tif 000003
【図２】
2005003431.tif 000004
【図３】
2005003431.tif 000005
【図４】
2005003431.tif 000006
【図５】
2005003431.tif 000007
【図６】
2005003431.tif 000008
【図７】
2005003431.tif 000009
【図８】
2005003431.tif 000010
【図９】
2005003431.tif 000011